(57)【要約】【課題】泥水を簡易に分級可能な装置および方法を提供する。【解決手段】泥水の分級装置であって、ベルトを金網で構成した、ベルトコンベアと、前記ベルトコンベアに振動を伝達する起震機と、を少なくとも備えてなる。前記ベルトコンベアに泥水を投下して、振動する金網でもって、泥水から分級対象物を取り除く。【選択図】図２
2016043309.tif 000002
【特許請求の範囲】
【請求項１】
泥水の分級装置であって、
ベルトを金網で構成した、ベルトコンベアと、
前記ベルトコンベアに振動を伝達する起震機と、を少なくとも備えてなる、
泥水の分級装置。
【請求項２】
泥水の分級方法であって、
（ａ）振動する金網でベルトを構成したベルトコンベアに泥水を投下して、該金網を通過しない分級対象物を取り出す工程と、
（ｂ）前記ベルトコンベアの駆動により、前記分級対象物を所定の箇所に運搬する工程と、
を、少なくとも行うことを特徴とする、泥水の分級方法。
【発明の詳細な説明】
【技術分野】
【０００１】
本発明は、泥水から骨材や粗粒分、細粒分などの分級対象物を分級するための、泥水の分級装置および分級方法に関する。
【背景技術】
【０００２】
工事現場から発生した泥水は、土砂以外にもコンクリート塊、木材片、鉄筋クズ、その他の各種のサイズ、各種の建設廃材が混在している。
【０００３】
この泥水の取扱いには、以下の方法が考えられる。
（１）方法１：泥水を構成する各要素を、再度資源として利用するべく、コンクリート塊や木材片、鉄筋などを事前に排除してから、骨材や粗粒分、細粒分などの分級対象物を分級・回収する方法。
（２）方法２：泥水を投下した水槽に沈殿した砂礫部分をバックホウのバケットですくい取り、後日産業廃棄物として処分する方法。
【０００４】
その他、出願人は、特許文献１に記載の発明等を着想している。
【先行技術文献】
【特許文献】
【０００５】
【特許文献１】特開２００５−２４６３２３号公報
【発明の概要】
【発明が解決しようとする課題】
【０００６】
前記した泥水の取扱いには、以下のような問題がある。
（１）方法１の場合。
泥水から骨材や粗粒分、細粒分を取り出すために公知の振動ふるい機を用いる方法が考えられるが、投下対象が泥水であると、構造上振動篩い機が水没することとなり故障の要因となる。
（２）方法２の場合。
作業が大がかりとなるだけでなく、処分コストも発生してしまい、経済的でない。
【０００７】
以上説明した通り、本願発明は、泥水を簡易に分級可能な装置および方法の提供を目的の一つとする。
【課題を解決するための手段】
【０００８】
上記の課題を解決すべくなされた本願の第１発明は、泥水の分級装置であって、ベルトを金網で構成した、ベルトコンベアと、前記ベルトコンベアに振動を伝達する起震機と、を少なくとも備えてなる、泥水の分級装置を提供する。
また、本願の第２発明は、泥水の分級方法であって、（ａ）振動する金網でベルトを構成したベルトコンベアに泥水を投下して、該金網を通過しない分級対象物を取り出す工程と、（ｂ）前記ベルトコンベアの駆動により、前記分級対象物を所定の箇所に運搬する工程と、を、少なくとも行うことを特徴とする、泥水の分級方法を提供する。
【発明の効果】
【０００９】
本願発明によれば、以下に記載する効果のうち、少なくとも何れか１つに記載の効果を奏する。
（１）泥水の状態での分級作業が可能である。
（２）起震機によって金網を振動させることで、分級対象物に付着したドロ分を強制的に落とすことができる。
（３）起震機によって金網を振動させることで、金網に付着したドロ分も強制的に落とすことができ、金網の目詰まりを回避できる。
【図面の簡単な説明】
【００１０】
【図１】実施例１に係る分級装置の概略分解図。
【図２】実施例２に係る分級方法の概略図。
【発明を実施するための形態】
【００１１】
以下、図面を参照しながら、本発明の実施例について説明する。
【実施例１】
【００１２】
＜１＞全体構成。
図１は、本実施例に係る分級装置の概略分解図である。
本実施例に係る分級装置は、ベルトコンベア１０と、前記ベルトコンベア１０に振動を伝達する起震機２０と、を少なくとも備えて構成する。
以下、各構成部材の詳細について説明する。
【００１３】
＜２＞ベルトコンベア。
ベルトコンベア１０は、泥水を分級するための装置である。
ベルトコンベア１０は、ベルト部分を構成する金網１１と、前記金網１１を送り動作するための回転体１２と、前記回転体１２に回転力を付与する駆動モータ１３と、を少なくとも有して構成する。
【００１４】
＜２．１＞金網。
金網１１は、ベルトコンベアのベルト部分に相当する。
金網１１の網目の大きさは、泥水中の分級対象物の粒径に併せて適宜決定する。
本実施例では、分級の粒径目安を約２０ｍｍとしている。
当該構成により、ベルトコンベア１０に投下された泥水のうち、所定の粒径以上の分級対象物は金網１１上に残り、その他の泥水は、金網１１を通過して、ベルトコンベア１０の下方へと落下することとなる。
【００１５】
＜２．２＞回転体。
回転体１２は、金網１１を送るための部材である。
回転体１２は公知の機構であるため、詳細な説明は省略する。
【００１６】
＜２．３＞駆動モータ。
駆動モータ１３は、前記回転体１２に回転力を付与するための部材である。
駆動モータ１３は、分級装置Ａの設置時において地上に位置する箇所に設けておく。
これは、ベルトコンベア１０に投下された泥水との接触を極力避けるためである。
本実施例では、後述するフレーム３０に設けたモータ台３１に駆動モータ１３を載置する。この駆動モータ１３を前記回転体１２に接続して、回転力を金網１１に伝達する。
【００１７】
＜３＞起震機。
起震機２０は、ベルトコンベアに振動を与えるための装置である。
起震機２０は公知の装置を用いることができる。
起震機２０は、分級装置Ａの設置時において、地上側端部に近い場所に設置しておくことが好ましい。
これは、前記した駆動モータ１３と同様、ベルトコンベア１０に投下された泥水との接触を極力避けるためである。
本実施例では、後述するフレーム３０の地上側の最も先端側に起震機２０を設けている。
【００１８】
＜４＞起震機とベルトコンベアとの接続例。
本発明は、起震機２０で発生する振動を、ベルトコンベア１０に対して直接的または間接的に伝達可能に構成する。
本実施例では、起震機２０は、直方状の枠体で構成したフレーム３０に取り付けている。
そして、前記フレーム３０の上部には軸受部３２を設けておく。
この軸受部３２に前記ベルトコンベア１０の回転体１２に設けた回転軸１２１を把持しておくことで、ベルトコンベア１０が駆動可能な状態でフレーム３０上に載置された状態となる。
なお、分級後の泥水を水槽に落下させる観点から、フレーム３０の底部は開放した構成としておくことが望ましい。
【実施例２】
【００１９】
次に、図２を参照しながら本発明に係る分級方法について説明する。
＜１＞分級装置の設置。
図２は、本発明に係る分級方法の概略図である。
本発明に係る分級方法は、前記実施例１に係る分級装置Ａを用いている。
まず、分級装置Ａは、泥水Ｘの投下位置が水槽Ｂの上方となるように設置する。
このとき、駆動モータ１３や起震機２０などの電力を用いる装置は、ホッパＣから投下される泥水Ｘを受けて故障しないよう、なるべく地上側に位置した状態で設置しておくが好ましい。
また、図２では、分級装置Ａを水槽Ｂ側に向けて下方に傾斜した状態で設置している。これは投下した泥水Ｘをなるべく水槽Ｂ側に導くことで、分級作業を効率化したり、駆動モータ１３や起震機２０などへの泥水Ｘの接触を回避したりするためである。
【００２０】
＜２＞（ａ）分級工程。
次に、泥水Ｘをベルトコンベア１０に投下する。
金網１１上に投下された泥水Ｘは、該金網１１を通過した泥水（分級後の泥水Ｙ）と、該金網１１を通過しない分級対象物Ｚと、に選別される。
このとき、金網１１を起震機２０によって振動させることで、分級対象物Ｚに付着したドロ分と、金網１１に付着したドロ分を、強制的に水槽Ｂへと落とすことができる。よって、金網がドロ分で目詰まりすることは無い、
また、泥水Ｘを投下する箇所の周辺には電力を用いる部分が存在しないため、泥水Ｘによる水没故障などが発生する恐れは無い。
【００２１】
＜３＞（ｂ）運搬工程。
前記金網１１上に残された分級対象物Ｚは、ベルトコンベア１０の駆動によって地上側へと運搬され、所定の箇所に投下される。
分級対象物Ｚを搬送した後の金網１１は、水槽Ｂ側に折り返される。この時点においても上方の金網１１によって適宜泥水は投下されているため、上方の金網１１を通過してきた、分級後の泥水Ｙが下方の金網１１に付着することが考えられるが、金網１１は常に振動しているため、付着した泥水は再度振り落とされて水槽Ｂへと落下することとなる。
よって、最終的には、分級後の泥水Ｙも分級対象物Ｚも金網１１上には残らないため、金網は目詰まりしない状態で泥水の分級作業を実施することができる。  
【００２２】
＜４＞まとめ
前記（ａ）（ｂ）工程を繰り返すことにより、泥水Ｘを、分級後の泥水Ｙと分級対象物Ｚとに選別することができる。
【実施例３】
【００２３】
なお、本発明に係る分級装置は、起震機２０で発生する振動を、ベルトコンベア１０に対して直接的または間接的に伝達可能であればよく、公知技術の範囲で適宜設計変更することができる。
また、分級装置Ａの設置角度や、駆動モータ１３や起震機２０の配置箇所なども適宜変更することができる。
また、本発明に係る分級方法は、前記した分級装置Ａを用いた態様に限定されず、振動可能な金網を用いたベルトコンベアを用いていれば良い。
【符号の説明】
【００２４】
Ａ      分級装置
１０    ベルトコンベア
１１    金網
１２    回転体
１２１  回転軸
１３    駆動モータ
２０    起震機
３０    フレーム
３１    モータ台
３２    軸受部
Ｂ      水槽
Ｃ      ホッパ
Ｘ      泥水
Ｙ      分級後の泥水
Ｚ      分級対象物
【図１】
2016043309.tif 000003
【図２】
2016043309.tif 000004